(57)【要約】【課題】導光設備が結合される浴室ユニットであって、浴室ユニット内の低い位置で放光することができる浴室ユニットを提供する。【解決手段】屋外から光を導入する光ダクトが結合される浴室ユニット１において、天井４に、光ダクト１０２に光学的に結合された導光口を設ける。また、浴室ユニット１の内部に、その上端が導光口に光学的に結合され、その内部が中空であり、その内面が光反射面とされた縦型ダクト７を設ける。縦型ダクト７の形状は略垂直方向に延びる筒状とし、導光口を介して導入された光を放光する側面放光口８及び下端放光口９を設ける。【選択図】図２
2008082083.tif 000002
【特許請求の範囲】
【請求項１】
屋外から光を導入する導光設備が結合される浴室ユニットであって、
前記浴室ユニットの天井に設けられた導光口と、
少なくとも一部が前記浴室ユニットの内部に配置され、上端が前記導光口を介して前記導光設備に光学的に結合され、内部が中空であり、内面が光反射面とされ、前記導光口を介して導入された光を放光する放光口が形成された内部ダクトと、
を備えたことを特徴とする浴室ユニット。
【請求項２】
前記内部ダクトの形状は、略垂直方向に延びる筒状であり、前記放光口は前記内部ダクトの下端部に形成されていることを特徴とする請求項１記載の浴室ユニット。
【請求項３】
前記放光口は、前記内部ダクトの下端面が開口されて形成されていることを特徴とする請求項２記載の浴室ユニット。
【請求項４】
前記内部ダクトは前記浴室ユニットの側壁に沿って配置されており、前記内部ダクトの下端における前記浴室ユニットの側壁側の側面は、その反対側の側面よりも下方まで延出していることを特徴とする請求項３記載の浴室ユニット。
【請求項５】
前記放光口は、前記内部ダクトの側面に形成されていることを特徴とする請求項２記載の浴室ユニット。
【請求項６】
前記内部ダクトにおける前記放光口よりも上方の部分の側面には、前記導光口を介して導入された光を放光する他の放光口が形成されていることを特徴とする請求項１〜５のいずれか１つに記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられる。通常、排気口は浴室ユニットの天井における浴槽側の領域に設けられているため、光ダクトの放光口も、天井における浴槽側の領域に設けられることになる。
【０００４】
一方、浴室ユニット内は湿度が高く、カビが発生しやすいという問題がある。特に、浴室ユニットの床面は、水がかかりやすくカビが発生しやすい。また、入浴者が洗い場に座って身体などを洗う際に、手元が照明されると便利である。これらの問題を解決するために、光ダクトにより導入された光を、浴室ユニット内の低い位置で放光できることが好ましい。
【０００５】
【特許文献１】実開昭６０−０３３２４０号公報
【発明の開示】
【発明が解決しようとする課題】
【０００６】
本発明の目的は、導光設備が結合される浴室ユニットであって、浴室ユニット内の低い位置で放光することができる浴室ユニットを提供することである。
【課題を解決するための手段】
【０００７】
本発明の一態様によれば、屋外から光を導入する導光設備が結合される浴室ユニットであって、前記浴室ユニットの天井に設けられた導光口と、少なくとも一部が前記浴室ユニットの内部に配置され、上端が前記導光口を介して前記導光設備に光学的に結合され、内部が中空であり、内面が光反射面とされ、前記導光口を介して導入された光を放光する放光口が形成された内部ダクトと、を備えたことを特徴とする浴室ユニットが提供される。
【発明の効果】
【０００８】
本発明によれば、導光設備が結合され、浴室ユニット内の低い位置で放光可能な浴室ユニットを実現することができる。
【発明を実施するための最良の形態】
【０００９】
以下、図面を参照しつつ本発明の実施形態について説明する。  
先ず、本発明の第１の実施形態について説明する。  
図１は、本実施形態に係る浴室ユニットが設けられた建築物を例示する模式的断面図であり、  
図２は、この浴室ユニットを例示する斜視図であり、  
図３は、この浴室ユニットを例示する断面図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２は、住宅１０１の建築工事により配設されたものである。光ダクト１０２の一方の端部は、例えば住宅１０１の屋根に設けられた採光部１０３に結合されており、他方の端部は、浴室ユニット１の天井４に結合されている。採光部１０３は、透明板からなるドームによって覆われており、砂や埃は通過させないが光は透過させる。光ダクト１０２の内部は中空であり、その内面は光反射面となっており、例えば、鏡面又は白色面となっている。これにより、光ダクト１０２は、住宅１０１の外部から採光部１０３を介して導入された外光Ｌを、その内面において反射しつつ導光して、浴室ユニット１の内部に導入する。
【００１１】
図２に示すように、浴室ユニット１においては、床の一方の側に浴槽２が設けられており、他方の側が洗い場３となっている。また、浴室ユニット１の天井４における洗い場３側の領域には、光ダクト１０２に光学的に結合された導光口６が設けられている。そして、浴室ユニット１内には、内部ダクトとしての縦型ダクト７が設けられている。縦型ダクト７の形状は、例えば、略垂直方向に延びる四角筒状である。縦型ダクト７は、浴室ユニット１の側壁に沿って配置されており、その上端は導光口６に連結されており、その下端は洗い場３の床面５には接しておらず、床面５から例えば数十センチメートル離隔している。
【００１２】
なお、浴室ユニット１の天井４には、導光口６の他に、例えば、点検口（図示せず）及び排気口（図示せず）が設けられている。また、例えば、浴室ユニット１の側壁１４のうち、浴槽２の足側に位置する面における洗い場３側の領域には、入浴者のほぼ全身が映せるような大型の鏡１５が取り付けられている。更に、鏡１５の向かって左側の側方にはシャワー１７が取り付けられており、鏡１５の下方にはカウンター１８が設けられている。そして、縦型ダクト７は、例えば、鏡１５の向かって右側の側方、すなわち、鏡１５が取り付けられている側壁と浴槽２に対向する側壁とがなす角部に配置されており、これらの２つの側壁に接している。
【００１３】
図３に示すように、縦型ダクト７の内部は中空であり、その内面は光反射面とされている。光反射面とは、例えば、鏡面又は白色面であり、例えば、アルミニウム若しくはステンレスなどの金属面、又はこれらの金属面の表面に酸化アルミニウム若しくは樹脂などの被覆層が積層された面により構成することができる。
【００１４】
縦型ダクト７の上端部には、透光板２１がはめ込まれており、天井４の導光口６に連結されている。これにより、縦型ダクト７の上端は、導光口６を介して光ダクト１０２に光学的に結合されている。また、縦型ダクト７と導光口６との連結部は、ゴム製のパッキン２２によりシールされている。
【００１５】
また、縦型ダクト７の側面には、側面放光口８が設けられている。側面放光口８は、縦型ダクト７の洗い場３に面した側面における垂直方向中間部に配置されており、例えば、入浴者（図示せず）が洗い場３に座ったときに、手元の近くとなる高さに配置されている。側面放光口８は、光ダクト１０２から縦型ダクト７内に導入された光の一部を浴室ユニット１内に放光するための開口部であり、透光板２３が水密的にはめ込まれている。
【００１６】
更に、縦型ダクト７の下端面は、垂直方向及び水平方向の双方に対して傾斜しており、斜めに切断されたような面となっている。これにより、縦型ダクト７の側面のうち、浴室ユニット１の側壁に沿った側面、すなわち、鏡１５が取り付けられている側壁１４側の側面は、その反対側の側面、すなわち、洗い場３側の側面よりも下方まで延出している。そして、縦型ダクト７の下端面は開口しており、下端放光口９となっている。下端放光口９は、光ダクト１０２から縦型ダクト７内に導入された光のうち、側面放光口８から放光されなかった光を放光する。下端放光口９には、透光板２４が水密的にはめ込まれている。
【００１７】
上述の透光板２１、２３及び２４は、光の少なくとも一部を透過させる板状部材であり、光を直進的に透過させる透明な樹脂、又は光を拡散させながら透過させる乳白色の樹脂により形成されている。
【００１８】
次に、本実施形態に係る浴室ユニットの動作について説明する。  
図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、浴室ユニット１の導光口６及び透光板２１を介して、縦型ダクト７の内部に導入される。
【００１９】
縦型ダクト７内に導入された外光Ｌは、縦型ダクト７の内面により反射されながら下方に向けて伝達し、一部が側面放光口８を介して浴室ユニット１内に向けて放光される。また、外光Ｌの残部は、縦型ダクト７内を更に下方に向けて伝達し、下端放光口９を介して放光される。下端放光口９から放光された外光Ｌは、洗い場３の床面５に対して照射される。
【００２０】
次に、本実施形態の効果について説明する。  
本実施形態においては、光ダクト１０２により導入され、導光口６に到達した外光が、縦型ダクト７により下方に伝達され、側面放光口８及び下端放光口９まで導光される。この結果、側面放光口８により、外光を洗い場３に座っている入浴者の手元の近くで放光することができ、入浴者の手元を効率よく照明することができる。また、下端放光口９により、外光を床面５の近くで放光することができ、これにより、外光に含まれる赤外線成分が床面５を効率よく加熱して乾燥させ、床面５においてカビの発生を防止することができると共に、外光に含まれる紫外線成分によっても、カビの発生を防止することができる。
これに対して、特許文献１に記載の技術においては、浴室ユニットの天井に放光口が設けられているため、放光口から床面までの距離が長く、座っている入浴者の手元及び床面を効率的に照明することができない。
【００２１】
また、本実施形態においては、縦型ダクト７の側面のうち、側壁１４側の側面は、洗い場３側の側面よりも下方まで延出している。これにより、下端放光口９を介して、外光を洗い場３の中央部に向けて効率よく放光することができる。
【００２２】
更に、外光を浴室ユニット内の低い位置で放光するためには、光ダクトを浴室ユニットの側方まで延ばし、その先端部を浴室ユニットの側壁に設けた放光口に結合させ、この放光口から外光を放光させることも考えられる。しかしながら、この場合は、浴室ユニットの側壁と建築物の壁との間に、光ダクトを配置するための大きな隙間を確保しなくてはならず、その分、浴室ユニットが狭くなってしまうという問題点がある。また、光ダクトを特別に設計しなくてはならないが、光ダクトは建築物の建造時に配設されるため、建築物の建造後に光ダクトを改造することが難しいという問題点がある。これに対して、本実施形態によれば、縦型ダクト７を浴室ユニット１の内部に設けているため、浴室ユニット１の外部に設ける場合と比較して、浴室ユニット１の側壁と住宅１０１の壁との間の隙間を狭くすることができる。これにより、浴室ユニット１を可及的に広くすることができる。また、光ダクトの改造が不要であり、光ダクトが浴室ユニットの天井裏まで配設されていれば、これに導光口を結合することができる。
【００２３】
更にまた、入浴者の手元及び床面などの低い位置を照明するためには、電球又は蛍光灯などの人工照明を浴室ユニット内の低い位置に配置することも考えられる。しかしながら、このような低い位置には不可避的に水がかかるため、人工照明を配置する場合は漏電及び感電に対する厳重な対策が必要となる。これに対して、本実施形態においては、外光を利用して照明することができるため、漏電及び感電に対する対策が不要であり、設備コストが低い。
【００２４】
更にまた、本実施形態においては、縦型ダクト７の上端部に透光板２１及びパッキン２２を設け、側面放光口８に透光板２３をはめ込み、下端放光口９に透光板２４をはめ込んでいるため、浴室ユニット１内の水分及び蒸気が、縦型ダクト７の内部及び光ダクト１０２の内部に侵入すること、並びに浴室ユニット１の天井裏に漏洩することを防止できる。なお、透光板２１及びパッキン２２による水密が確保されていれば、透光板２３及び２４を省略しても、水分及び水蒸気が光ダクト１０２内及び天井裏に漏洩することを防止できる。
【００２５】
なお、本実施形態においては、側面放光口８は設けなくてもよい。また、逆に、側面放光口８を複数ヶ所設けてもよい。更に、側面放光口８の形状を、縦型ダクト７の全長にわたって垂直方向に延びるスリット状としてもよい。更にまた、側面放光口８及び下端放光口９に開閉可能なシャッターを取り付けて、放光位置を選択できるようにしてもよい。この場合、シャッターの裏面を光反射面とすれば、シャッターを閉めても光の利用効率が大きく低下することがない。
【００２６】
次に、本発明の第２の実施形態について説明する。  
図４は、本実施形態に係る浴室ユニットを例示する断面図である。  
図４に示すように、本実施形態においては、縦型ダクト７に側面放光口８及び下端放光口９（図３参照）が設けられておらず、縦型ダクト７の洗い場３側の側面の下端部に、側面放光口３０が設けられている。側面放光口３０には透光板３１が水密的にはめ込まれている。また、縦型ダクト７の下端面は、洗い場３側の側面が浴室ユニット１の側壁１４側の側面よりも下方に延出するように傾斜しており、この下端面には鏡３２がはめ込まれている。
【００２７】
これにより、導光口６を介して縦型ダクト７内に導入された光は、縦型ダクト７の内面によって反射されながら下方に向けて導光され、直接又は鏡３２により反射されて、側面放光口３０から放光される。これによっても、床面５を効率よく照明することができる。本実施形態における上記以外の構成、動作及び効果は、前述の第１の実施形態と同様である。なお、縦型ダクト７の側面における放光口３０よりも上方の領域に、他の側面放光口を設けてもよい。
【００２８】
以上、実施形態を参照しつつ、本発明の特徴を説明した。しかし、本発明はこれらの実施形態に限定されるものではなく、前述の各実施形態に係る浴室ユニットを構成する要素について、当業者が適宜追加、省略又は設計変更を加えたものであっても、本発明の要旨を備えたものであれば、本発明の範囲に包含される。
【００２９】
例えば、縦型ダクトの上端部は、導光口６を突き抜けて、天井４の上方まで突出しており、天井４の上方で光ダクト１０２と光学的に結合されていてもよい。また、光ダクト１０２と縦型ダクト７との間に、必要に応じて接続用ダクトを設けてもよい。このようにしても、縦型ダクト７を導光口６を介して光ダクト１０２に光学的に結合することができる。また、縦型ダクトの形状は四角筒形に限定されず、任意の形状とすることができる。例えば、縦型ダクトの形状を浴室ユニットの壁面全体を覆うような平板状の形状とし、壁面全体を発光させてもよい。
【００３０】
更に、縦型ダクトの内部に、白熱灯、蛍光灯及びＬＥＤ（Light Emitting Diode：発光ダイオード）などの人工照明を設けてもよい。これにより、外光が不足するときに、人工照明を使用することができる。この場合においても、人工照明は縦型ダクトの内部に配置されているため、水がかかることがなく、漏電及び感電に対する過剰な対策が不要となる。更にまた、光ダクトが結合される導光口は、浴室ユニットの側壁の上部に設けられていてもよい。更にまた、前述の各実施形態においては、屋外から浴室ユニット内に外光を導入する導光設備が光ダクトである例を示したが、本発明はこれに限定されず、導光設備は例えば光ファイバであってもよい。
【図面の簡単な説明】
【００３１】
【図１】本発明の第１の実施形態に係る浴室ユニットが設けられた建築物を例示する模式的断面図である。
【図２】第１の実施形態に係る浴室ユニットを例示する斜視図である。
【図３】第１の実施形態に係る浴室ユニットを例示する断面図である。
【図４】本発明の第２の実施形態に係る浴室ユニットを例示する断面図である。
【符号の説明】
【００３２】
１  浴室ユニット、２  浴槽、３  洗い場、４  天井、５  床面、６  導光口、７  縦型ダクト、８  側面放光口、９  下端放光口、１４  側壁、１５  鏡、１７  シャワー、１８  カウンター、２１、２３、２４  透光板、２２  パッキン、３０  側面放光口、３１  透光板、３２  鏡、１０１  住宅、１０２  光ダクト、１０３  採光部、Ｌ  外光
【図１】
2008082083.tif 000003
【図２】
2008082083.tif 000004
【図３】
2008082083.tif 000005
【図４】
2008082083.tif 000006